(57)【要約】  スプリング式端子台に対して配線作業をする場合に、電線及びジャンパーピンのそれぞれについて配線と同時に導通検査を行うことのできる導通検査装置及び導通検査方法を提供する。導通検査装置は、スプリング式端子台に着脱可能に固定されて、複数のジャンパーピン挿入スロットに複数のプローブを挿入して、各電線挿入部と各ジャンパーピン挿入スロットとに跨って設けられた各導電部に複数のプローブを電気的に接続させる検査治具と、電線挿入部に配線される電線及び複数のプローブと電気的に接続された制御装置とを備え、複数のプローブが複数のジャンパーピン挿入スロットに挿入された状態で電線と導電部との間の導通を検査し、検査治具がスプリング式端子台から取り外された状態で電線とジャンパーピンとの間の導通を検査する。
2020184679.tif 000002
【特許請求の範囲】
【請求項１】
複数の電線挿入部及び複数のジャンパーピン挿入スロットが設けられたスプリング式端子台に着脱可能に固定されて、前記複数のジャンパーピン挿入スロットに複数のプローブを挿入して、各前記電線挿入部と各前記ジャンパーピン挿入スロットとに跨って設けられた各導電部に前記複数のプローブを電気的に接続させる検査治具と、
前記複数の電線挿入部のいずれか１つに配線される電線の一端側が電気的に接続されるとともに、前記検査治具の前記複数のプローブと電気的に接続された制御装置と
を備え、
前記複数のプローブが前記複数のジャンパーピン挿入スロットに挿入された状態で、
前記電線の他端部が前記複数の電線挿入部のいずれか１つに配線された場合に、
前記制御装置、前記電線、前記電線が配線された前記電線挿入部に設けられた前記導電部、及び該導電部と電気的に接続された前記プローブ、が導通する第１の構成によって、前記電線と前記電線が配線された前記電線挿入部に設けられた前記導電部との間の導通を検査し、
前記検査治具が前記スプリング式端子台から取り外された状態で、
第１の電線及び第２の電線がそれぞれ配線された隣り合う２つの前記電線挿入部に対応する２つの前記ジャンパーピン挿入スロットに跨ってジャンパーピンが配線された場合に、
前記制御装置、前記第１の電線、前記第１の電線が配線された前記電線挿入部の導電部、前記ジャンパーピン、前記第２の電線が配線された前記電線挿入部の導電部、及び前記第２の電線、が導通する第２の構成によって、前記第１の電線及び前記第２の電線と、前記ジャンパーピンとの間の導通を検査する導通検査装置。
【請求項２】
前記制御装置と電気的に接続された表示部を備え、
前記制御装置は、
前記第１の構成において、特定の電線を示す情報及び前記特定の電線の他端部が配線される特定の電線挿入部を示す情報を前記表示部に表示して前記特定の電線の前記特定の電線挿入部への配線を指示するとともに、前記特定の電線と前記特定の電線挿入部との間の導通検査結果を前記表示部に表示し、
前記第２の構成において、隣り合う特定の２つのジャンパーピン挿入スロットを示す情報を前記表示部に表示して前記ジャンパーピンの前記特定の２つのジャンパーピン挿入スロットへの配線を指示するとともに、前記特定の２つのジャンパーピン挿入スロットに対応する２つの電線挿入部にそれぞれ配線された第１の電線及び第２の電線と前記ジャンパーピンとの間の導通検査結果を前記表示部に表示する請求項１に記載の導通検査装置。
【請求項３】
前記制御装置と電気的に接続された接触板を備え、
前記制御装置は、
前記電線の他端部が前記接触板に接触された場合に、前記接触板を介して導通する前記電線を特定し、前記特定された前記電線の情報を前記表示部に表示する請求項２に記載の導通検査装置。
【請求項４】
前記検査治具は、前記複数のジャンパーピン挿入スロットのそれぞれに設けられた各被固定部と着脱可能に嵌合する固定部を有する請求項１から請求項３までのいずれか一項に記載の導通検査装置。
【請求項５】
前記検査治具における前記複数のプローブの間には、それぞれスリットが形成されている請求項１から請求項４までのいずれか一項に記載の導通検査装置。
【請求項６】
前記検査治具は、前記複数のプローブが設けられた治具本体と、前記複数のプローブから延びる各信号線を含む入力ケーブルと、前記信号線を覆うカバーとを有しており、
前記治具本体は、前記検査治具が前記スプリング式端子台に取り付けられた状態で前記ジャンパーピン挿入スロットから突出して露出する露出部を有しており、
前記露出部には、取外し工具用穴が設けられており、
前記カバーは、前記取外し工具用穴を避けて前記露出部に取り付けられている請求項１から請求項５までのいずれか一項に記載の導通検査装置。
【請求項７】
請求項１から請求項６までのいずれか一項に記載の導通検査装置の前記第１の構成を用いて、
前記制御装置から、前記電線に検査信号を出力して、
前記制御装置によって、前記検査信号が前記複数のプローブのいずれかを介して前記制御装置に入力されるか否かに基づいて、前記電線と前記電線が配線された前記電線挿入部に設けられた前記導電部との間の導通を検査する第１の工程と、
前記導通検査装置の前記第２の構成を用いて、
前記制御装置から、前記第１の電線に前記検査信号を出力して、
前記制御装置によって、前記検査信号が前記第２の電線を介して前記制御装置に入力されるか否かに基づいて、前記第１の電線及び前記第２の電線と、前記ジャンパーピンとの間の導通を検査する第２の工程とを有する導通検査方法。
【請求項８】
前記第１の工程は、
前記制御装置によって、特定の電線及び前記特定の電線が配線される特定の電線挿入部を指示する工程と、
前記制御装置によって、前記検査信号が前記特定の電線挿入部に対応する前記ジャンパーピン挿入スロットに挿入された前記プローブを介して前記制御装置に入力されたか否かに基づいて、前記電線が指示通り前記特定の電線挿入部に配線されたか否かを検査する工程を含み、
前記第２の工程は、
前記制御装置によって、隣り合う特定の２つのジャンパーピン挿入スロットを指示する工程と、
前記制御装置によって、前記第１の電線に出力された前記検査信号が前記第２の電線を介して前記制御装置に入力されたか否かに基づいて、前記ジャンパーピンが指示通り前記特定の２つのジャンパーピン挿入スロットに配線されたか否かを検査する工程を含む請求項７に記載の導通検査方法。
【発明の詳細な説明】
【技術分野】
【０００１】
この発明は、スプリング式端子台に配線される電線及びジャンパーピンの導通検査を行う導通検査装置及び導通検査方法に関するものである。
【背景技術】
【０００２】
従来、複数の電線をねじ式端子台に配線する工程では、検査装置を用いて誤配線及び配線不良の確認が行われている。検査装置としては、ねじ式端子台に設けられた各端子の導電部にプローブを接触させて、プローブを介して各端子に配線された電線の導通検査を行うことにより、誤配線及び配線不良を配線と同時に確認するものが知られている（例えば、特許文献１参照）。
【先行技術文献】
【特許文献】
【０００３】
【特許文献１】特開２０１２−１８９４９６号公報
【発明の概要】
【発明が解決しようとする課題】
【０００４】
特許文献１のような従来の導通検査装置は、ねじ式端子台に設けられた各端子の導電部にプローブを接触させる必要がある。このため、スプリング式端子台のように各端子の導電部が露出していない場合には、電線挿入部またはジャンパーピン挿入スロットにプローブを挿入して、端子台の内部に設けられた導電部にプローブを接触させなければならない。【０００５】
しかし、スプリング式端子台に電線を配線した後にジャンパーピンを配線しようとした場合には、電線が配線されている電線挿入部及びジャンパーピンを配線するジャンパーピン挿入スロットのいずれにもプローブを取り付けることができない。このため、従来の導通検査装置では、スプリング式端子台にジャンパーピンを配線する際に、ジャンパーピンの配線と同時にジャンパーピンの導通検査をすることができないという課題があった。【０００６】
この発明は、上記のような課題を解決するためになされたものであり、スプリング式端子台に対して配線作業をする場合に、電線及びジャンパーピンのそれぞれについて配線と同時に導通検査を行うことのできる導通検査装置及び導通検査方法を提供することを目的とする。
【課題を解決するための手段】
【０００７】
本発明の導通検査装置は、複数の電線挿入部及び複数のジャンパーピン挿入スロットが設けられたスプリング式端子台に着脱可能に固定されて、複数のジャンパーピン挿入スロットに複数のプローブを挿入して、各電線挿入部と各ジャンパーピン挿入スロットとに跨って設けられた各導電部に複数のプローブを電気的に接続させる検査治具と、複数の電線挿入部に配線される電線の一端側が電気的に接続されるとともに、検査治具の複数のプローブと電気的に接続された制御装置とを備え、複数のプローブが複数のジャンパーピン挿入スロットに挿入された状態で、電線の他端部が複数の電線挿入部のいずれか１つに配線された場合に、制御装置、電線、電線が配線された電線挿入部に設けられた導電部、及び該導電部と電気的に接続されたプローブが導通する第１の構成によって、電線と電線が配線された電線挿入部に設けられた導電部との間の導通を検査し、検査治具がスプリング式端子台から取り外された状態で、第１の電線及び第２の電線がそれぞれ配線された隣り合う２つの電線挿入部に対応する２つのジャンパーピン挿入スロットに跨ってジャンパーピンが配線された場合に、制御装置２、第１の電線、第１の電線が配線された電線挿入部の導電部、ジャンパーピン、第２の電線が配線された電線挿入部の導電部、及び第２の電線が導通する第２の構成によって、第１の電線及び第２の電線と、ジャンパーピンとの間の導通を検査する。【０００８】
また、本発明の導通検査方法は、導通検査装置の第１の構成を用いて、制御装置から、電線に検査信号を出力して、制御装置によって、検査信号が複数のプローブのいずれかを介して制御装置に入力されるか否かに基づいて、電線と電線が配線された電線挿入部に設けられた導電部との間の導通を検査する第１の工程と、導通検査装置の第２の構成を用いて、制御装置から、第１の電線に検査信号を出力し、制御装置によって、検査信号が第２の電線を介して制御装置に入力されるか否かに基づいて、第１の電線及び第２の電線と、ジャンパーピンとの間の導通を検査する第２の工程とを有する。
【発明の効果】
【０００９】
本発明によれば、スプリング式端子台に対して配線作業をする場合であっても、複数の電線及び複数のジャンパーピンのそれぞれについて配線と同時に導通検査を行うことができる導通検査装置及び導通検査方法を得ることができる。
【図面の簡単な説明】
【００１０】
【図１】本発明の実施の形態１による導通検査装置及び導通検査方法を用いて導通検査が行われるスプリング式端子台及びワイヤハーネスの一例を示す斜視図である。
【図２】図１のスプリング式端子台を構成する端子台ユニットを示す上面図である。
【図３】図２の端子台ユニットのＩＩＩ−ＩＩＩ線に沿う断面図である。
【図４】図１のスプリング式端子台にジャンパーピンを挿入する様子を示す斜視図である。
【図５】図３の端子台ユニットの工具挿入穴に工具を挿入した状態を示す断面図である。
【図６】図５の端子台ユニットの電線挿入部に電線を挿入した状態を示す断面図である。
【図７】図６の電線挿入部のロック部に設けられた電線固定穴に電線を挿入した状態を示す断面図である。
【図８】図７のロック部に電線が固定された状態を示す断面図である。
【図９】本発明の実施の形態１による導通検査装置を用いて複数の電線とスプリング式端子台との間の導通検査を行う様子を示した斜視図である。
【図１０】図９の導通検査装置の検査治具を示す正面図である。
【図１１】図１０の検査治具をスプリング式端子台に取付けた状態を示す断面図である。
【図１２】本発明の実施の形態１による導通検査装置を用いて複数の電線とジャンパーピンとの間の導通検査を行う様子を示した斜視図である。
【図１３】本発明の実施の形態１による導通検査方法のフローを示す図である。
【図１４】本発明の実施の形態２による導通検査装置を用いて各電線５１とスプリング式端子台６との導通検査を行う様子を示す斜視図である。
【図１５】本発明の実施の形態３による導通検査装置の端子台接続治具を示す図である。
【図１６】本発明の実施の形態４による導通検査装置の検査治具を示す図である。
【図１７】図１６の検査治具をスプリング式端子台から取り外すための取外し工具を示す正面図である。
【図１８】図１７の取外し工具を示す側面図である。
【図１９】図１６の検査治具がスプリング式端子台に取り付けられ、かつ図１７の取外し工具が検査治具に装着された状態を示す斜視図である。
【発明を実施するための形態】
【００１１】
以下、この発明を実施するための形態について、図面を参照して説明する。
【００１２】
実施の形態１．
まず、本発明の実施の形態１による導通検査装置及び導通検査方法を用いて導通検査が行われるワイヤハーネス５、スプリング式端子台６、及びジャンパーピン８について図１〜図４を用いて説明する。
【００１３】
図１は、ワイヤハーネス５及びスプリング式端子台６の一例を示す斜視図である。
【００１４】
ワイヤハーネス５は、複数の電線５１を束ねて構成されている。複数の電線５１の一端側には、ワイヤハーネスコネクタ５２が取り付けられている。この例では、ワイヤハーネスコネクタ５２は３つ取り付けられている。
【００１５】
スプリング式端子台６は、複数の電線挿入部６１と、ジャンパーピン挿入スロット６２とを有している。複数の電線挿入部６１には、ワイヤハーネス５を構成する複数の電線５１の他端部５１ａがそれぞれ配線される。ジャンパーピン挿入スロット６２には、ジャンパーピン８が配線される。
【００１６】
スプリング式端子台６は、複数の端子台ユニット６０を連結することによって構成されている。図２は、端子台ユニット６０の上面図である。図３は、図２の端子台ユニット６０のＩＩＩ−ＩＩＩ線に沿う断面図である。
【００１７】
各端子台ユニット６０の上面には、電線が挿入される４つの電線挿入部６１と、工具を挿入する４つの工具挿入穴６３と、ジャンパーピン挿入スロット６２とが設けられている。ジャンパーピン挿入スロット６２には、それぞれジャンパーピン８が挿入される２つのスロット６２ａ及び６２ｂが設けられている。
【００１８】
図３に示すように、各端子台ユニット６０のジャンパーピン挿入スロット６２には、各端子台ユニット６０が並ぶ方向に沿って被固定部としての溝部６２１がそれぞれ設けられている。溝部６２１には、後述する検査治具４の固定部としての突起部４４が嵌合される。
【００１９】
４つの電線挿入部６１の内部及びジャンパーピン挿入スロット６２の内部には、各電線挿入部６１及びジャンパーピン挿入スロット６２に跨って、共通の導電部６４が設けられている。導電部６４の両端部は二股に分岐してそれぞれ２つの端部が形成されている。導電部６４の４つの端部は、４つの電線挿入部６１の内部にそれぞれ延びている。ジャンパーピン挿入スロット６２の内部には、導電部６４の中央部分が露出している。
【００２０】
図４は、スプリング式端子台６のジャンパーピン挿入スロット６２にジャンパーピン８が挿入される様子を示す斜視図である。図４に示すように、ジャンパーピン８には、二股状に形成された２つのピン８１，８２が設けられている。２つのピン８１，８２は、ジャンパーピン８の内部で繋がっている。
【００２１】
ジャンパーピン８のピン８１及び８２は、隣り合う２つの端子台ユニット６０の各スロット６２ａまたは各スロット６２ｂにそれぞれ挿入される。隣り合う２つの端子台ユニット６０の各スロット６２ａまたは６２ｂに挿入されたジャンパーピン８のピン８１及び８２は、それぞれが挿入された端子台ユニット６０の導電部６４に接触して電気的に接続される。これにより、隣り合う２つの端子台ユニット６０の導電部６４同士が導通して短絡される。
【００２２】
図４の例では、３つのジャンパーピン８をスロット６２ａ側とスロット６２ｂ側に互い違いに配置することによって、隣り合う４つの端子台ユニット６０の各導電部６４を短絡している。
【００２３】
各端子台ユニット６０における電線挿入部６１と、電線挿入部６１に対応する工具挿入穴６３とは、内部で繋がっている。工具挿入穴６３の内部には、ロック機構６５が設けられている。ロック機構６５は、金属板で形成されている。ロック機構６５には、ロック部６５ａが設けられている。ロック部６５ａは、ロック部６５ａが設けられた工具挿入穴６３の内部から、対応する電線挿入部６１の内部に突出している。
【００２４】
ここで、図５〜図８を用いて、端子台ユニット６０の電線挿入部６１に電線５１を固定する手順について説明する。
【００２５】
まず、図５に矢印Ａで示すように、工具挿入穴６３にマイナスドライバーなどの工具８０の先端を挿入する。
工具８０の先端をロック機構６５の解除部６５ｂに突き当て、さらに工具８０を工具挿入穴６３の奥まで押し込む。
【００２６】
ロック機構６５の解除部６５ｂは、工具８０に押されて、矢印Ｂの方向に移動する。
解除部６５ｂが移動すると、解除部６５ｂと繋がっているロック部６５ａは、電線挿入部６１内に押し出される。
【００２７】
ロック部６５ａには、電線固定穴６５ｃが設けられている。ロック部６５ａが電線挿入部６１内に押し出されると、電線固定穴６５ｃが電線挿入部６１の内部に露出する。
図６に矢印Ｃで示すように、電線挿入部６１に電線５１の他端部５１ａを挿入する。
さらに電線５１を挿入し、図７に示すように、電線固定穴６５ｃに電線５１の先端部分を挿入する。
【００２８】
電線固定穴６５ｃに電線５１の先端部分が挿入されたら、図８に矢印Ｅで示すように、工具８０を工具挿入穴６３から引き抜く。
工具８０が引き抜かれることにより、ロック機構６５の解除部６５ｂは、弾性力によって図８に矢印Ｆで示す方向に戻ろうとする。
解除部６５ｂと繋がっているロック部６５ａは、図８に矢印Ｇで示すように、工具挿入穴６３側に戻ろうとする。
【００２９】
このとき、ロック部６５ａの電線固定穴６５ｃに挿入されている電線５１の先端部分は、ロック部６５ａによって導電部６４に押し付けられて固定される。
これにより、電線５１の先端部分が導電部６４と電気的に接続される。
【００３０】
ロック部６５ａによって電線５１が押し付けられる導電部６４は、端子台ユニット６０の端子に相当する。電線挿入部６１から電線５１を取り外す場合には、上記の手順を逆に行えばよい。
【００３１】
次に、本発明の実施の形態１による導通検査装置について説明する。
【００３２】
実施の形態１による導通検査装置を用いた導通検査は、２段階の構成に分けて行われる。第１の構成では、各電線５１とスプリング式端子台６との間の導通検査及び各電線５１の誤配線の検査を行う。第２の構成では、隣り合う２つの電線挿入部６１に配線された各電線５１とジャンパーピン８との間の導通検査及びジャンパーピン８の誤配線の検査を行う。
【００３３】
まず、第１の構成について図９〜図１１を用いて説明する。図９は、実施の形態１による導通検査装置を図１のスプリング式端子台６に取り付けて電線の導通検査を行う様子を示した斜視図である。図１０は、図９の導通検査装置の検査治具４を示す正面図である。図１１は、図１０の検査治具４をスプリング式端子台６に取付けた状態を示す概略断面図である。
【００３４】
実施の形態１による導通検査装置は、表示部１、制御装置２、信号ケーブル３、及び検査治具４によって構成されている。
【００３５】
表示部１は、表示画面を有する表示装置である。表示部１には、指示、検査結果などが表示される。
【００３６】
表示部１に表示される指示は、例えば、スプリング式端子台６に配線する電線５１を指示する情報、指示された電線５１を配線するスプリング式端子台６の電線挿入部６１を指示する情報、ジャンパーピン８を配線する２つのジャンパーピン挿入スロット６２を指示する情報などである。
【００３７】
表示部１に表示される検査結果は、例えば、配線された電線５１とスプリング式端子台６との間の導通検査結果、配線された電線５１とジャンパーピン８との間の導通検査結果、電線５１が配線された電線挿入部６１と、指示された電線挿入部６１とを照合した検査結果などである。
【００３８】
制御装置２は、接続ケーブル１ａによって表示部１と接続されている。制御装置２は、図示しない記憶部と演算処理部とを有する。記憶部には、表示部１に表示される情報の基となるデータが記憶されている。演算処理部は、記憶部に記憶された情報に基づいて、作業指示及び検査結果を表示部１に表示する。
【００３９】
複数の信号線からなる信号ケーブル３の一端側は、制御装置２に接続されている。信号ケーブル３の他端部には、信号ケーブルコネクタ３１が取り付けられている。制御装置２は、信号ケーブル３に検査信号を出力する。
【００４０】
検査治具４は、入力ケーブル４３によって制御装置２に接続されている。検査治具４は、スプリング式端子台６のジャンパーピン挿入スロット６２に取り付けられる。検査治具４は、ジャンパーピン挿入スロット６２に着脱可能に取り付けられる。
【００４１】
検査治具４は、治具本体４１と、治具本体４１から突出する複数のプローブ４２と、複数のプローブ４２のそれぞれの基部から延びる各信号線を束ねた入力ケーブル４３とによって構成されている。各プローブ４２は、入力ケーブル４３を介して、それぞれ独立して制御装置２に接続されている。
【００４２】
複数のプローブ４２の基部は、治具本体４１を形成する樹脂によって一体に成形されている。治具本体４１の両側面には、複数のプローブ４２が並ぶ方向に沿って直線状の突起部４４が形成されている。
【００４３】
図１１に示すように、各端子台ユニット６０のジャンパーピン挿入スロット６２には、各端子台ユニット６０が並ぶ方向に沿って溝部６２１がそれぞれ設けられている。検査治具４の対向する両側面には、突起部４４を各端子台ユニット６０の各溝部６２１に嵌合させることによって、スプリング式端子台６に固定される。このとき、検査治具４の各プローブ４２は、各端子台ユニット６０の各導電部６４にそれぞれ接触して各導電部６４と電気的に接続される。各端子台ユニット６０の各導電部６４は、各導電部６４と電気的に接続された各プローブ４２と、入力ケーブル４３とを介して、それぞれ独立して制御装置２と電気的に接続される。
【００４４】
信号ケーブルコネクタ３１にワイヤハーネス５のワイヤハーネスコネクタ５２を接続することにより、制御装置２と複数の電線５１とが電気的に接続される。また、検査治具４をスプリング式端子台６に取り付けることにより、スプリング式端子台６の複数の導電部６４と制御装置２とが電気的に接続される。
【００４５】
従って、複数の電線５１の各他端部５１ａをスプリング式端子台６の各電線挿入部６１に配線することにより、制御装置２、信号ケーブル３、各電線５１、スプリング式端子台６の各導電部６４、検査治具４の各プローブ４２及び入力ケーブル４３が電気的に接続される。
【００４６】
これにより、制御装置２から出力された検査信号は、各配線に導通異常がなければ、信号ケーブル３、各電線５１、スプリング式端子台６の各導電部６４、各プローブ４２及び入力ケーブル４３を経由して制御装置２に入力される。
【００４７】
よって、制御装置２から出力された検査信号が再び制御装置２に入力されるか否かを確認することによって、各電線５１とスプリング式端子台６との間の導通を検査することができる。
【００４８】
また、制御装置２は、指定された電線５１に出力した検査信号が、検査治具４の複数のプローブ４２のうち、どのプローブ４２を介して制御装置２に入力されたかを確認する。これにより、制御装置２は、指定された電線５１が指定された電線挿入部６１に配線されているか否かを検査することができる。以上が第１の構成である。
【００４９】
次に、第２の構成について図１２を用いて説明する。図１２は、実施の形態１による導通検査装置を用いて各電線５１とジャンパーピン８との間の導通検査を行う様子を示した斜視図である。
【００５０】
第２の構成では、検査治具４をスプリング式端子台６から取り外す。第２の構成では、検査治具４に代えて、信号ケーブル３と、各端子台ユニット６０に正常に配線された各電線５１とを用いる。
【００５１】
検査治具４が取り外されたスプリング式端子台６の電線挿入部６１に他端部５１ａが配線された各電線５１の一端側は、いずれも信号ケーブル３を介して制御装置２に電気的に接続されている。
【００５２】
ここで、第１の電線５１及び第２の電線５１を、それぞれ隣り合う２つの端子台ユニット６０の電線挿入部６１に挿入する。次に、隣り合う２つの端子台ユニット６０のジャンパーピン挿入スロット６２に跨ってジャンパーピン８を配線する。その結果、制御装置２、信号ケーブル３、第１の電線５１、第１の電線５１が配線された電線挿入部６１の導電部６４、ジャンパーピン８、第２の電線５１が配線された電線挿入部６１の導電部６４及び第２の電線５１の各部同士が導通する。
【００５３】
これにより、制御装置２から出力された検査信号は、第１の電線５１及び第２の電線５１とジャンパーピン８との間に導通不良がなければ、上記各部を経由して制御装置２に入力される。
【００５４】
従って、制御装置２から第１の電線５１に出力された検査信号が、上記各部を経由して第２の電線５１から制御装置２に入力されるか否かを確認することによって、第１の電線５１とジャンパーピン８との間及び第２の電線５１とジャンパーピン８との間の導通を検査することができる。
【００５５】
また、制御装置２は、表示部１に表示して指示した隣り合う２つのジャンパーピン挿入スロット６２に対応する、隣り合う２つの電線挿入部６１の一方に配線された第１の電線５１に検査信号を出力する。そして、制御装置２は、検査信号が、隣り合う２つの電線挿入部６１の他方に配線された第２の電線５１を介して入力されるか否かを確認する。
【００５６】
これにより、制御装置２は、配線されたジャンパーピン８が、指示した隣り合う２つのジャンパーピン挿入スロット６２に跨って正しく配線されているか否かを検査する。以上が第２の構成である。
【００５７】
このように、実施の形態１による導通検査装置は、検査治具４を用いる第１の構成と、検査治具４を用いない第２の構成とを有する。
【００５８】
第１の構成は、少なくとも制御装置２及び検査治具４を含む。
【００５９】
第１の構成では、検査治具４の各プローブ４２が、スプリング式端子台６の各ジャンパーピン挿入スロット６２に挿入されて、各ジャンパーピン挿入スロット６２の導電部６４に電気的に接続される。電線５１の一端側は制御装置２に電気的に接続される。電線５１の他端部５１ａはスプリング式端子台６の電線挿入部６１に配線されて電線挿入部６１の導電部６４に電気的に接続される。
【００６０】
各端子台ユニット６０の各ジャンパーピン挿入スロット６２の導電部６４と各電線挿入部６１の導電部６４とは繋がっている。よって、第１の構成では、制御装置２、電線５１、電線５１が配線された電線挿入部６１の導電部６４及びこの電線挿入部６１に対応するジャンパーピン挿入スロット６２に挿入されたプローブ４２が電気的に接続される。
【００６１】
第１の構成によって、電線５１を電線挿入部６１に配線するのと同時に、制御装置２によって電線５１と電線５１が配線された電線挿入部６１の導電部６４との間の導通を検査することができる。
【００６２】
第２の構成は、少なくとも制御装置２を含み、検査治具４の代わりにスプリング式端子台６に配線された各電線５１を用いる。
【００６３】
第２の構成では、第１の電線５１及び第２の電線５１がそれぞれ配線された隣り合う２つの端子台ユニット６０のジャンパーピン挿入スロット６２に跨ってジャンパーピン８が配線される。
【００６４】
各端子台ユニット６０の各ジャンパーピン挿入スロット６２の導電部６４と各電線挿入部６１の導電部６４とは繋がっている。よって、第２の構成では、制御装置２、第１の電線５１、第１の電線５１が電線挿入部６１に配線された端子台ユニット６０の導電部６４、ジャンパーピン８、第２の電線５１が電線挿入部６１に配線された端子台ユニット６０の導電部６４及び第２の電線５１が電気的に接続される。
【００６５】
第２の構成によって、ジャンパーピン８をジャンパーピン挿入スロット６２に配線するのと同時に、制御装置２によって、第１の電線５１及び第２の電線５１と、ジャンパーピン８との間の導通を検査することができる。
【００６６】
次に、実施の形態１による導通検査装置を用いた導通検査方法について説明する。実施の形態１の導通検査方法は、導通検査装置の第１の構成を用いた第１の工程と、導通検査装置の第２の構成を用いた第２の工程とによって２段階の検査を行う。
【００６７】
図１３は、導通検査方法のフローを示す図である。図１３において、ＳＴ１〜ＳＴ１５は、それぞれ導通検査方法のステップを示している。また、ステップ１からステップ８までが第１の工程に対応し、ステップ９からステップ１５までが第２の工程に対応する。
【００６８】
第１の工程のステップ１では、検査治具４がスプリング式端子台６に取り付けられる。
具体的には、検査治具４の複数のプローブ４２が、複数の端子台ユニット６０の各ジャンパーピン挿入スロット６２に挿入される。
そして、検査治具４の突起部４４が各端子台ユニット６０の溝部６２１に嵌合されて、検査治具４がスプリング式端子台６に固定される。
【００６９】
ステップ２では、各ワイヤハーネスコネクタ５２が、それぞれ対応する各信号ケーブルコネクタ３１に接続される。
【００７０】
ステップ３では、制御装置２によって、複数の電線５１のうち、これから配線を行う電線５１が指定されて表示部１に表示される。
また、制御装置２によって、指定された電線５１を配線する電線挿入部６１が指定されて表示部１に表示される。
【００７１】
ステップ４では、表示部１の指示に従って指定された電線５１の他端部５１ａが、指定された電線挿入部６１に配線される。
【００７２】
ステップ５では、制御装置２から指定された電線５１に検査信号が出力される。
出力された検査信号が、指定された電線挿入部６１に対応するジャンパーピン挿入スロット６２に挿入されたプローブ４２を介して制御装置２に入力されるか否かを確認することによって、電線５１の導通検査及び誤配線の検査が行われる。
【００７３】
電線５１が正常に配線されていれば、制御装置２から出力された検査信号は、指定された電線挿入部６１に対応するジャンパーピン挿入スロット６２に挿入されたプローブ４２を介して制御装置２に入力される。
この場合には、ステップ７に進む。
【００７４】
制御装置２は、検査信号が制御装置２に入力されない場合には、配線された電線５１が指定した電線５１ではないか、または電線５１と電線挿入部６１の導電部６４との導通に異常があると判断する。
この場合には、ステップ６に進み、制御装置２は、電線５１の導通に異常があるため配線を修正する必要がある旨を表示部１に表示する。
作業者は、表示部１の指示に従って配線の修正を行う。
配線の修正が完了したら、作業者は、図示しない再検査スイッチを押す。
制御装置２は、処理をステップ５に戻し、指定された電線５１に再度検査信号を出力する。
【００７５】
また、検査信号は制御装置２に入力されているが、指定された電線挿入部６１に対応するプローブ４２以外のプローブ４２を介して制御装置２に検査信号が入力された場合には、電線５１が配線された電線挿入部６１が、指定された電線挿入部６１ではないと判断される。
この場合には、ステップ６に進み、制御装置２は、電線５１が誤配線されているため配線を修正する必要がある旨を表示部１に表示する。
作業者は、表示部１の指示に従って配線の修正を行う。
配線の修正が完了したら、作業者は、図示しない再検査スイッチを押す。
制御装置２は、処理をステップ５に戻し、指定された電線５１に再度検査信号を出力する。
【００７６】
ステップ６では、作業者は、表示部１の指示に従って配線の修正を行う。
【００７７】
ステップ７では、制御装置２は、計画した全ての電線５１の配線が正常に終了したか否かを判断する。
全ての電線５１の配線が終了したら、制御装置２は、処理をステップ９に進める。
全ての電線５１の配線が終了していなければ、制御装置２は、処理をステップ８に進む。
【００７８】
ステップ８では、表示部１に表示される指示内容が更新される。
具体的には、例えば、作業者によって、図示しない更新スイッチが押される。
すると、制御装置２は、表示部１の表示を、次に配線する電線５１及びその配線先の電線挿入部６１を指示する情報に更新して、処理をステップ３に戻す。
【００７９】
ステップ９から第２の工程に入る。
ステップ９では、作業者によって、検査治具４がスプリング式端子台６から取り外される。
【００８０】
ステップ１０では、制御装置２は、隣り合う特定の２つのジャンパーピン挿入スロット６２の情報を表示部１に表示して、ジャンパーピン８の配線を指示する。
【００８１】
ステップ１１では、作業者は、表示部１の指示に従って、ジャンパーピン８を配線する。
【００８２】
ステップ１２では、制御装置２は、特定の２つのジャンパーピン挿入スロット６２に対応する２つの電線挿入部６１のうちの一方に配線された第１の電線５１に検査信号を出力する。
【００８３】
この時、特定の２つのジャンパーピン挿入スロット６２に対応する２つの電線挿入部６１のうちの他方に配線された第２の電線５１から制御装置２に検査信号が入力されない場合には、ステップ１３に進む。
【００８４】
ステップ１２において検査信号が制御装置２に入力されない原因としては、以下の（１）〜（３）のいずれかが考えられる。
（１）ジャンパーピン８のピン８１及びピン８２のいずれかまたは両方が、それぞれが挿入されたジャンパーピン挿入スロット６２の導電部６４と導通していない。
（２）ジャンパーピン８が配線された２つのジャンパーピン挿入スロット６２の両方が、第１の電線５１が配線された電線挿入部６１と対応するジャンパーピン挿入スロット６２ではない。
（３）ジャンパーピン８が配線された２つのジャンパーピン挿入スロット６２と対応する２つの電線挿入部６１のうちのいずれかに電線５１が配線されていない。
【００８５】
従って、ステップ１３では、制御装置２は、第１の電線５１及び第２の電線５１のいずれかまたは両方とジャンパーピン８との間の導通に異常がある旨、及び配線を修正する必要がある旨を表示部１に表示させる。
作業者は、表示部１の指示に従って、配線の確認と修正を行う。
配線の修正が完了したら、作業者は、図示しない再検査スイッチを押す。
制御装置２は、処理をステップ１２に戻し、第１の電線５１に再度検査信号を出力する。
【００８６】
また、検査信号は制御装置２に入力されているが、第２の電線５１以外の電線５１を介して検査信号が入力されている場合には、制御装置２は、第１の電線５１とジャンパーピン８との間の導通は正常であるが、第２の電線５１とジャンパーピン８との間の導通に異常があると判断する。
この場合にもステップ１３に進み、制御装置２は、ジャンパーピン８が異なるジャンパーピン挿入スロット６２に配線されている旨、及び配線を修正する必要がある旨を表示部１に表示させる。
作業者は、表示部１の指示に従って、配線の確認と修正を行う。
配線の修正が完了したら、作業者は、図示しない再検査スイッチを押す。
制御装置２は、処理をステップ１２に戻し、第１の電線５１に再度検査信号を出力する。
【００８７】
検査信号が第２の電線５１から制御装置２に入力された場合には、制御装置２は、ジャンパーピン８の配線が正常に行われたと判断し、ステップ１４に進む。
【００８８】
ステップ１４では、制御装置２は、計画した全てのジャンパーピン８の配線が正常に終了したか否かを判断する。
全てのジャンパーピン８の配線が完了した場合には、制御装置２は処理を終了する。
全てのジャンパーピン８の配線が完了していない場合には、制御装置２は、ステップ１５に進む。
【００８９】
ステップ１５では、表示部１に表示される指示内容が更新される。
具体的には、例えば、作業者によって、図示しない更新スイッチが押される。
すると、制御装置２は、表示部１の表示を、次に配線するジャンパーピン８及びその配線先のジャンパーピン挿入スロット６２を指示する情報に更新して、処理をステップ１０に戻す。
【００９０】
このように、実施の形態１における導通検査方法は、実施の形態１の導通検査装置の検査治具４を用いる第１の工程と、検査治具４を用いない第２の工程とによって２段階の導通検査を行う。
【００９１】
第１の工程は、導通検査装置の第１の構成を用いて、制御装置２から電線５１に検査信号を出力して、制御装置２によって、検査信号が複数のプローブ４２のいずれかを介して制御装置２に入力されるか否かに基づいて、電線５１と電線５１が配線された電線挿入部６１に設けられた導電部６４との間の導通を検査する。
【００９２】
また、第１の工程は、制御装置２によって、特定の電線５１及び特定の電線５１が配線される特定の電線挿入部６１を指示する工程と、
制御装置２によって、検査信号が特定の電線挿入部６１に対応するジャンパーピン挿入スロット６２に挿入されたプローブ４２を介して制御装置２に入力されたか否かに基づいて、電線５１が指示通り特定の電線挿入部６１に配線されたか否かを検査する工程を含む。
【００９３】
これにより、第１の工程では、電線５１を電線挿入部６１に配線するのと同時に、制御装置２によって電線５１と電線５１が配線された電線挿入部６１の導電部６４との間の導通を検査することができる。
【００９４】
第２の工程は、導通検査装置の第２の構成を用いて、制御装置２から、第１の電線に検査信号を出力して、制御装置２によって、検査信号が第２の電線を介して制御装置２に入力されるか否かに基づいて、第１の電線及び第２の電線と、ジャンパーピン８との間の導通を検査する。
【００９５】
また、第２の工程は、制御装置２によって、隣り合う特定の２つのジャンパーピン挿入スロット６２を指示する工程と、制御装置２によって、第１の電線５１に出力された検査信号が第２の電線５１を介して制御装置２に入力されたか否かに基づいて、ジャンパーピン８が指示通りのジャンパーピン挿入スロット６２に配線されたか否かを検査する工程を含む。
【００９６】
これにより、第２の工程では、ジャンパーピン８をジャンパーピン挿入スロット６２に配線するのと同時に、制御装置２によって、第１の電線５１及び第２の電線５１と、ジャンパーピン８との間の導通を検査することができる。
【００９７】
なお、実施の形態１による導通検査装置は、表示部１と制御装置２とが別体である。しかし、表示部１と制御装置２とは別体でなくてもよい。例えば、表示部１と制御装置２とは、表示部と制御装置とが一体化されたパソコンなどによって構成してもよい。
【００９８】
また、実施の形態１では、スプリング式端子台６を構成する各端子台ユニット６０は、電線挿入部６１及び工具挿入穴６３がそれぞれ４個設けられている。しかし、端子台ユニット６０の構成は、これに限るものではない。例えば、端子台ユニット６０に設けられる電線挿入部６１及び工具挿入穴６３の数は、それぞれ１〜３個であってもよいし、５つ以上であってもよい。
【００９９】
また、図４に示すように、スプリング式端子台６の側面に、端子番号表示部６６を設けてもよい。これにより、各電線５１の各電線挿入部６１への誤配線を抑制することができる。
【０１００】
実施の形態２．
図１４は、本発明の実施の形態２による導通検査装置を用いて各電線５１とスプリング式端子台６との導通検査を行う様子を示す斜視図である。
【０１０１】
実施の形態２による導通検査装置は、接続ケーブル９１によって制御装置２と電気的に接続された接触板９を有する点が、実施の形態１による導通検査装置とは異なる。他の構成は、実施の形態１による導通検査装置と同様である。
【０１０２】
実施の形態２による導通検査装置は、いずれかの電線５１の他端部５１ａが接触板９に接触された場合に、制御装置２が接触板９を介して導通する電線５１を特定する。そして、制御装置２は、配線を指示した電線５１の情報と、特定された電線５１の情報とを照合して、照合した結果を表示部１に表示する。
【０１０３】
作業者は、表示部１の表示を見て、配線しようとしている電線５１が指示された電線５１であるか否かを確認する。このように、実施の形態２の導通検査装置は、作業者が電線５１を配線する前に、配線しようとしている電線５１が指示された電線５１か否かを作業者に示すことができる。このため、作業者による電線５１の誤配線を抑制することができる。よって、配線の修正作業を削減することができる。
【０１０４】
実施の形態３．
図１５は、本発明の実施の形態３による導通検査装置の検査治具４を示す図である。
【０１０５】
実施の形態３による導通検査装置は、検査治具４の形状が、実施の形態１による導通検査装置とは異なる。他の構成は、実施の形態１と同様である。
【０１０６】
実施の形態３による導通検査装置の検査治具４は、治具本体４１の各プローブ４２の間にスリット４５が形成されている。各プローブ４２の間にスリット４５を形成することにより、各プローブ４２の先端部分は、治具本体４１に対して柔軟に移動することができるようになっている。
【０１０７】
スプリング式端子台６を構成する各端子台ユニット６０の連結方向の厚みは、製造誤差によって変動する場合がある。各端子台ユニット６０の厚みが変動した場合、各ジャンパーピン挿入スロット６２の間隔が変動する。
【０１０８】
実施の形態３による導通検査装置の検査治具４は、各プローブ４２の先端部分が柔軟に移動できるため、各ジャンパーピン挿入スロット６２の間隔が変動した場合に、各ジャンパーピン挿入スロット６２の位置に倣って移動することができる。
【０１０９】
実施の形態４．
図１６は、本発明の実施の形態４による導通検査装置の検査治具４を示す図である。
検査治具４は、カバー４６をさらに有している。
【０１１０】
治具本体４１は、ジャンパーピン挿入スロット６２に挿入可能な挿入部４１１と、挿入部４１１から突出する露出部４１２とを有している。突起部４４は、挿入部４１１と露出部４１２との境界に位置している。即ち、治具本体４１は、突起部４４の位置を境界として挿入部４１１と露出部４１２とに区分されている。検査治具４がスプリング式端子台６に取り付けられた状態では、挿入部４１１がジャンパーピン挿入スロット６２に挿入され、かつ露出部４１２がジャンパーピン挿入スロット６２から突出して露出している。
【０１１１】
複数のプローブ４２は、治具本体４１の内部から、挿入部４１１の端部を通って、治具本体４１の外部へ突出している。入力ケーブル４３に含まれる各信号線は、治具本体４１の内部から、露出部４１２の端部を通って、治具本体４１の外部へ出ている。
【０１１２】
カバー４６は、露出部４１２に着脱可能に取り付けられている。カバー４６には、入力ケーブル４３に含まれる各信号線を通す空間が形成されている。カバー４６は、入力ケーブル４３に含まれる各信号線を覆っている。本実施の形態では、複数のプローブ４２が並ぶ方向において治具本体４１の全範囲にカバー４６が配置されている。
【０１１３】
露出部４１２には、複数のバンド用穴４７と、複数の取外し工具用穴４８とが設けられている。複数のバンド用穴４７は、複数のプローブ４２が並ぶ方向へ互いに離れた位置に位置している。各バンド用穴４７は、露出部４１２を貫通する貫通穴である。複数の取外し工具用穴４８も、複数のプローブ４２が並ぶ方向へ互いに離れた位置に位置している。各取外し工具用穴４８は、露出部４１２を貫通していてもよいし、露出部４１２を貫通していなくてもよい。また、バンド用穴４７及び取外し工具用穴４８のそれぞれの数は、複数である必要はなく、１つであってもよい。
【０１１４】
カバー４６は、各バンド用穴４７及び各取外し工具用穴４８を避けて露出部４１２に取り付けられている。即ち、各バンド用穴４７及び各取外し工具用穴４８は、カバー４６に覆われていない。検査治具４では、各バンド用穴４７に通された複数のバンド４９がカバー４６に巻き付けられることによって、カバー４６が露出部４１２に取り付けられている。治具本体４１の突起部４４は、カバー４６に覆われていない。
【０１１５】
図１７は、図１６の検査治具４をスプリング式端子台６から取り外すための取外し工具１０を示す正面図である。また、図１８は、図１７の取外し工具１０を示す側面図である。検査治具４がスプリング式端子台６から取り外されるときには、取外し工具１０が用いられる。取外し工具１０は、ハンドル１０１と、ピン１０２とを有している。なお、取外し工具１０は、導通検査装置に含まれている。
【０１１６】
ハンドル１０１は、第１ハンドル部材１０３と、第２ハンドル部材１０４と、角部１０５とを有している。
【０１１７】
第１ハンドル部材１０３及び第２ハンドル部材１０４のそれぞれの形状は、棒状となっている。第１ハンドル部材１０３及び第２ハンドル部材１０４のそれぞれの端部同士は、角部１０５を介して連結されている。
【０１１８】
第１ハンドル部材１０３の長さは、第２ハンドル部材１０４の長さよりも長くなっている。第２ハンドル部材１０４の長手方向は、第１ハンドル部材１０３の長手方向に対して交差している。本実施の形態では、第２ハンドル部材１０４の長手方向が第１ハンドル部材１０３の長手方向に対して直交している。ハンドル１０１の形状は、第１ハンドル部材１０３、第２ハンドル部材１０４及び角部１０５によってＬ字状となっている。
【０１１９】
第１ハンドル部材１０３の両端部のうち、角部１０５側とは反対側の端部は、力が加えられる持ち手部となっている。第２ハンドル部材１０４の両端部のうち、角部１０５側とは反対側の端部には、ピン１０２が固定されている。第１ハンドル部材１０３の持ち手部から角部１０５までの距離は、ピン１０２から角部１０５までの距離よりも大きくなっている。
【０１２０】
ピン１０２は、第１ハンドル部材１０３及び第２ハンドル部材１０４を含む平面に対して交差する方向へ第２ハンドル部材１０４の端部から突出している。本実施の形態では、第１ハンドル部材１０３及び第２ハンドル部材１０４を含む平面に対して直交する方向へピン１０２が第２ハンドル部材１０４の端部から突出している。ピン１０２は、棒状であって、かつ、取外し工具用穴４８に挿入可能な大きさ及び形状となっている。
【０１２１】
取外し工具１０は、ピン１０２が取外し工具用穴４８に挿入されることにより検査治具４に装着される。ピン１０２が取外し工具用穴４８に挿入された状態では、ハンドル１０１が取外し工具用穴４８を中心に回転可能になっている。
【０１２２】
図１９は、図１６の検査治具４がスプリング式端子台６に取り付けられ、かつ図１７の取外し工具１０が検査治具４に装着された状態を示す斜視図である。検査治具４がスプリング式端子台６に取り付けられた状態では、治具本体４１の露出部４１２に設けられた取外し工具用穴４８がジャンパーピン挿入スロット６２から露出している。これにより、検査治具４がスプリング式端子台６に取り付けられた状態でも、取外し工具１０が検査治具４に装着可能になっている。
【０１２３】
検査治具４がスプリング式端子台６に取り付けられ、かつ取外し工具１０が検査治具４に装着された状態では、ジャンパーピン挿入スロット６２に隣接するスプリング式端子台６の露出面にハンドル１０１の角部１０５が接触可能になっている。
【０１２４】
検査治具４をスプリング式端子台６に取り付けるときには、治具本体４１の挿入部４１１をジャンパーピン挿入スロット６２に挿入した後、ジャンパーピン挿入スロット６２に向けてカバー４６に力を加える。これにより、挿入部４１１がジャンパーピン挿入スロット６２に押し込まれて突起部４４が溝部６２１に嵌まる。このようにして、検査治具４がスプリング式端子台６に取り付けられる。従って、カバー４６の強度は、検査治具４がスプリング式端子台６に取り付けられるときの力によって破損しない強度となっている。カバー４６の強度を考慮して、カバー４６は、硬質樹脂及び金属などで形成されても良い。
【０１２５】
一方、検査治具４をスプリング式端子台６から取り外すときには、取外し工具用穴４８にピン１０２を挿入することにより、取外し工具１０を検査治具４に装着する。この後、ハンドル１０１を回転させてスプリング式端子台６の露出面に角部１０５を接触させる。この後、スプリング式端子台６の露出面に角部１０５を押し付ける方向、即ち図１９の矢印Ｘの方向へ第１ハンドル部材１０３の持ち手部に力を加えながらハンドル１０１を回転させる。これにより、ジャンパーピン挿入スロット６２から検査治具４を外す方向へピン１０２が移動する。即ち、角部１０５を支点とし、第１ハンドル部材１０３の持ち手部を力点とし、ピン１０２を作用点として、てこの原理にならって取外し工具１０を操作することにより、ジャンパーピン挿入スロット６２から外れる方向へ検査治具４を移動させる。このようにして、検査治具４がスプリング式端子台６から取り外される。実施の形態４における他の構成は、実施の形態３と同様である。
【０１２６】
実施の形態４による導通検査装置の検査治具４では、入力ケーブル４３の各信号線を覆うカバー４６が治具本体４１の露出部４１２に取り付けられている。このため、スプリング式端子台６に検査治具４を取り付けるときには、カバー４６を押しながらジャンパーピン挿入スロット６２に検査治具４を挿入することができ、ジャンパーピン挿入スロット６２に向けて検査治具４を押す力を大きくすることができる。従って、スプリング式端子台６に検査治具６を容易にかつより確実に取り付けることができる。また、カバー４６によって入力ケーブル４３を保護することができ、入力ケーブル４３の破損の発生を抑制することもできる。
【０１２７】
また、治具本体４１の露出部４１２には、取外し工具用穴４８が設けられている。このため、スプリング式端子台６から検査治具４を取り外すときには、取外し工具用穴４８に装着した取外し工具１０を用いて、てこの原理にならって検査治具４を、容易に取り外すことができる。また、取外し工具１０を用いているため、検査治具４自体を摘んで引き上げることが無い。これにより、検査治具４の破損の発生を抑制することができる。従って、取外し工具１０を操作することにより、検査治具４の破損の発生を抑制しながら、スプリング式端子台６から検査治具４を容易に取り外すことができる。
【０１２８】
また、スプリング式端子台６を構成する端子台ユニット６０の数が多くなると、端子台ユニット６０の数に比例して、検査治具４の着脱に要する力が大きくなる。しかし、本実施の形態４による導通検査装置の検査治具４では、検査治具４の着脱に要する力が大きくなっても、容易に確実に検査治具４を着脱ができ、かつ、検査治具４の着脱時の治具本体４１、及び入力ケーブル４３の破損の発生を抑制することができる。
【０１２９】
実施の形態４の導通検査装置の検査治具４において、カバー４６は、治具本体４１にバンド４９を巻きつけることによって取り付けられている。しかし、カバー４６の取り付け方法はバンド４９に限ったものではない。例えば、カバー４６は、治具本体４１に接着剤で接着されて固定されてもよく、治具本体４１にボルトにより固定されてもよい。
【０１３０】
なお、上記の例では、治具本体４１にカバー４６が設けられた構成が実施の形態３の構成に適用されている。しかし、治具本体４１にカバー４６が設けられた構成を実施の形態１及び２に適用してもよい。
【符号の説明】
【０１３１】
１  表示部、１ａ  接続ケーブル、２  制御装置、３  信号ケーブル、４  検査治具、５  ワイヤハーネス、６  スプリング式端子台、８  ジャンパーピン、９  接触板、１０  取外し工具、３１  信号ケーブルコネクタ、４１  治具本体、４２  プローブ、４３  入力ケーブル、４４  突起部（固定部）、４５  スリット、４６  カバー、４７  バンド用穴、４８  取外し工具用穴、４９  バンド、５１  電線、５２  ワイヤハーネスコネクタ、６０  端子台ユニット、６１  電線挿入部、６２  ジャンパーピン挿入スロット、６３  工具挿入穴、６４  導電部、６５  ロック機構、６６  端子番号表示部、８０  工具、９１  接続ケーブル、１０１  ハンドル、１０２  ピン、１０３  第１ハンドル部材、１０４  第２ハンドル部材、１０５  角部、４１１  挿入部、４１２  露出部、６２１  溝部（被固定部）
【図１】
2020184679.tif 000003
【図２】
2020184679.tif 000004
【図３】
2020184679.tif 000005
【図４】
2020184679.tif 000006
【図５】
2020184679.tif 000007
【図６】
2020184679.tif 000008
【図７】
2020184679.tif 000009
【図８】
2020184679.tif 000010
【図９】
2020184679.tif 000011
【図１０】
2020184679.tif 000012
【図１１】
2020184679.tif 000013
【図１２】
2020184679.tif 000014
【図１３】
2020184679.tif 000015
【図１４】
2020184679.tif 000016
【図１５】
2020184679.tif 000017
【図１６】
2020184679.tif 000018
【図１７】
2020184679.tif 000019
【図１８】
2020184679.tif 000020
【図１９】
2020184679.tif 000021
【国際調査報告】
2020184679.tif 000022
2020184679.tif 000023
2020184679.tif 000024
2020184679.tif 000025
2020184679.tif 000026
2020184679.tif 000027